(57)【特許請求の範囲】
【請求項１】
内燃機関の排ガス通路に、排ガスを浄化する触媒を設置した内燃機関の制御装置において、
排ガス中のリッチ成分が前記触媒上流側の排ガス通路内で後燃え可能な排ガス温度となるように内燃機関の燃焼を制御する排ガス昇温制御手段と、
前記後燃えを発生させるための二次空気を前記触媒上流側の排ガス通路内に導入する二次空気導入装置と、
前記二次空気導入装置を制御する二次空気導入制御手段と、
排ガスの空燃比を検出する空燃比センサの出力に基づいて排ガスの空燃比を目標空燃比にフィードバック制御する空燃比フィードバック制御手段とを備え、
前記空燃比フィードバック制御手段は、二次空気を導入する際に、前記触媒の暖機要求時は、二次空気導入位置よりも上流側の排ガスの空燃比を前記触媒の浄化ウインドである理論空燃比付近に制御する手段と、二次空気を導入する際に、車両走行時は、二次空気導入位置よりも上流側の排ガスの空燃比を理論空燃比よりもリッチに制御する手段とを有することを特徴とする内燃機関の制御装置。
【請求項２】
前記二次空気導入制御手段は、前記触媒の暖機要求が発生したときに二次空気を導入することを特徴とする請求項１に記載の内燃機関の制御装置。
【請求項３】
前記二次空気導入制御手段は、前記触媒に流入する炭化水素の低減要求が発生したとき又は前記触媒から流出する窒素酸化物の低減要求が発生したときに二次空気を導入することを特徴とする請求項１又は２に記載の内燃機関の制御装置。
【請求項４】
前記二次空気導入制御手段は、後燃え可能な排ガス温度のときに二次空気を導入することを特徴とする請求項１乃至３のいずれかに記載の内燃機関の制御装置。
【請求項５】
前記二次空気導入制御手段は、始動時に気筒内で最初の爆発が発生した後に二次空気を導入することを特徴とする請求項１乃至４のいずれかに記載の内燃機関の制御装置。
【請求項６】
前記二次空気導入制御手段は、始動から所定期間が経過するまで二次空気の導入を禁止することを特徴とする請求項１乃至５のいずれかに記載の内燃機関の制御装置。
【請求項７】
前記二次空気導入制御手段は、排ガス温度の低下要求が発生したときに二次空気の導入を禁止することを特徴とする請求項１乃至５のいずれかに記載の内燃機関の制御装置。
【請求項８】
前記二次空気導入制御手段は、始動からの経過時間又は前記触媒の暖機要求時からの経過時間又は排ガス温度の低下時からの経過時間に応じて二次空気の導入流量を制御することを特徴とする請求項１乃至７のいずれかに記載の内燃機関の制御装置。
【請求項９】
前記空燃比センサは、二次空気導入位置よりも下流側に設置されていることを特徴とする請求項１乃至８のいずれかに記載の内燃機関の制御装置。
【請求項１０】
前記二次空気導入装置は、前記排ガス通路に接続された二次空気導入通路に二次空気を圧送するエアポンプと、前記二次空気導入通路を開閉する開閉弁と逆止弁とを一体化したコンビネーションバルブと、前記開閉弁の駆動圧力を切り換える切換弁とから構成され、
前記二次空気導入制御手段は、前記切換弁を制御して前記開閉弁の駆動圧力を切り換えて該開閉弁を開閉することで二次空気の導入／導入停止を制御することを特徴とする請求項１乃至９のいずれかに記載の内燃機関の制御装置。
【請求項１１】
前記二次空気導入装置は、前記触媒上流側の排ガス通路の複数箇所に二次空気を導入することを特徴とする請求項１乃至１０のいずれかに記載の内燃機関の制御装置。
【請求項１２】
前記二次空気導入装置は、前記触媒上流側の排ガス通路のうちの排ガス温度が後燃え可能な温度範囲となる位置に二次空気を導入することを特徴とする請求項１乃至１１のいずれかに記載の内燃機関の制御装置。
【請求項１３】
前記排ガス昇温制御手段は、機関冷間時に内燃機関の点火時期を暖機後よりも遅角側に制御することを特徴とする請求項１乃至１２のいずれかに記載の内燃機関の制御装置。
【請求項１４】
前記排ガス昇温制御手段は、筒内混合気の空燃比を理論空燃比付近又は弱リッチに制御することを特徴とする請求項１３に記載の内燃機関の制御装置。
【請求項１５】
前記排ガス昇温制御手段は、点火遅角制御中の点火時期遅角量に基づいて排ガスの目標空燃比を設定することを特徴とする請求項１３又は１４に記載の内燃機関の制御装置。
【請求項１６】
前記排ガス昇温制御手段は、点火遅角制御中の点火時期遅角量が大きいほど排ガスの目標空燃比を理論空燃比に近づけて設定することを特徴とする請求項１５に記載の内燃機関の制御装置。
【請求項１７】
内燃機関の吸気弁と排気弁の少なくとも一方の開閉タイミングを可変制御する可変バルブタイミング機構を備え、
前記排ガス昇温制御手段は、前記吸気弁と排気弁のバルブオーバーラップ量を制御することで排ガス温度を後燃え可能な温度範囲に制御することを特徴とする請求項１乃至１６のいずれかに記載の内燃機関の制御装置。
【請求項１８】
内燃機関の吸気弁と排気弁の少なくとも一方の開閉タイミングを可変制御する可変バルブタイミング機構を備え、
前記排ガス昇温制御手段は、前記排気弁の開弁タイミングを進角側に制御することで排ガス温度を後燃え可能な温度範囲に制御することを特徴とする請求項１乃至１７のいずれかに記載の内燃機関の制御装置。
【請求項１９】
前記排ガス昇温制御手段は、機関運転状態に基づいて排ガス昇温制御を実施するか否かを判定することを特徴とする請求項１乃至１８のいずれかに記載の内燃機関の制御装置。
【請求項２０】
前記排ガス昇温制御手段は、冷間始動時に機関回転速度が暖機後のアイドル回転速度よりも高い始動時回転速度に制御されているときに排ガス昇温制御を実施することを特徴とする請求項１乃至１９のいずれかに記載の内燃機関の制御装置。
【請求項２１】
前記排ガス昇温制御手段は、始動から所定時間経過後は排ガス昇温制御を禁止することを特徴とする請求項１乃至２０のいずれかに記載の内燃機関の制御装置。
【請求項２２】
前記排ガス昇温制御手段は、排ガス昇温制御中にトルク変動を抑制するトルク変動抑制制御を実施することを特徴とする請求項１乃至２１のいずれかに記載の内燃機関の制御装置。
【発明の詳細な説明】
【０００１】
【発明の属する技術分野】
本発明は、内燃機関の排ガスを浄化する触媒を備えた内燃機関の制御装置に関するものである。
【０００２】
【従来の技術】
近年の一般的なガソリンエンジン車は、排気管に三元触媒を設置して、排ガス中のＨＣ（炭化水素）、ＣＯ（一酸化炭素）、ＮＯｘ（窒素酸化物）等を浄化するようにしている。しかし、始動直後の冷機時には、三元触媒が活性温度まで昇温しておらず、未活性状態であるため、三元触媒で排ガスを十分に浄化することができず、排気エミッションが悪くなる。
【０００３】
この対策として、近年、冷間始動時に点火遅角制御等の触媒早期暖機制御を実行して排ガスの温度を高めることで、触媒を早期に活性温度にまで暖機することが知られているが、最近、触媒暖機性能を更に高めるために、触媒上流側の排気管に外気を二次空気として導入する二次空気導入装置を設け、触媒内で排ガス中のＨＣ，ＣＯ等のリッチ成分を二次空気の酸素と反応させ、その反応熱で触媒を暖機するようにしたものがある。
【０００４】
更に、二次空気導入装置に加え、触媒上流側の排気管に着火装置を設け、排ガス中のリッチ成分を二次空気（酸素）と混合して着火装置で着火して排気管内で後燃えを発生させ、その燃焼熱で触媒を暖機するようにしたものもある。
【０００５】
【発明が解決しようとする課題】
前者では、触媒内でリッチ成分と二次空気の酸素とを反応させて触媒を暖機するようにしているが、触媒温度がある程度上昇しないと、触媒内でリッチ成分と酸素との反応が促進されないため、その分、触媒早期暖機が遅れて、近年、益々厳しくなる排ガス規制に十分に対応することができない。
【０００６】
これに対し、後者では、排気管内で着火装置により後燃えを発生させて触媒を暖機するため、始動直後から触媒を早期に暖機できる利点があるが、排気管に着火装置を設ける必要があるため、システム構成が複雑化して、コスト高になるという欠点がある。
【０００７】
本発明はこのような事情を考慮してなされたものであり、従ってその目的は、比較的簡単な構成で、触媒上流側で後燃えを発生させて触媒を早期に暖機でき、触媒早期暖機性能向上と構成簡単化・低コスト化とを両立させることができる内燃機関の制御装置を提供することにある。
【０００８】
【課題を解決するための手段】
上記目的を達成するために、本発明の請求項１の内燃機関の制御装置は、排ガス昇温制御手段によって排ガス中のリッチ成分が触媒上流側の排ガス通路内で後燃え可能な排ガス温度となるように内燃機関の燃焼を制御すると共に、二次空気導入制御手段によって二次空気導入装置を作動させて触媒上流側の排ガス通路内に後燃えを発生させるための二次空気を導入するように構成され、且つ、排ガスの空燃比を検出する空燃比センサの出力に基づいて排ガスの空燃比を目標空燃比にフィードバック制御する空燃比フィードバック制御手段を備えた構成となっています。更に、請求項１に係る発明は、二次空気を導入する際に、触媒の暖機要求時は、二次空気導入位置よりも上流側の排ガスの空燃比を前記触媒の浄化ウインドである理論空燃比付近に制御することを第１の特徴とし、二次空気を導入する際に、車両走行時は、二次空気導入位置よりも上流側の排ガスの空燃比をリッチに制御することで、触媒流入ガスの空燃比を理論空燃比付近に制御することを第２の特徴としています。
【０００９】
請求項１に係る発明では、内燃機関から排出される排ガスは、触媒上流側の排ガス通路内で燃焼可能な温度に昇温されるため、この高温の排ガス中のＨＣ，ＣＯ等のリッチ成分が、触媒上流側の排ガス通路内に導入された二次空気の酸素と混合されると、触媒上流側の排ガス通路内で後燃えが発生し、その燃焼熱で触媒を早期に暖機することができる。しかも、後燃えによって内燃機関から排出されるＨＣが燃焼されるため、触媒活性前でも、大気中に排出されるＨＣ量を低減することができる。更に、排ガスに着火する着火装置が不要となるため、システム構成を簡単化することができ、低コスト化の要求も満たすことができる。
【００１０】
ところで、冷間始動時には触媒が未活性状態であることは言うまでもないが、触媒が一旦暖機した後でも、運転状態によっては触媒温度が低下して触媒が未活性状態になることがあるため、請求項２のように、始動時、触媒暖機後を問わず、触媒の暖機要求が発生したときに二次空気を導入するようにすると良い。このようにすれば、活性状態の触媒が温度低下して未活性状態となると、触媒の暖機要求が発生して、直ちに二次空気を導入して後燃えを発生させることができ、冷間始動時に限らず、触媒が一旦暖機した後でも、触媒が未活性状態に温度低下すれば、それを後燃えにより早期に活性状態に回復させることができる。
【００１１】
また、請求項３のように、触媒に流入する炭化水素の低減要求が発生したとき又は触媒から流出する窒素酸化物の低減要求が発生したときに二次空気を導入するようにしても良い。内燃機関から排出されるＨＣ量が増加して触媒に流入するＨＣの低減要求が発生したときに、二次空気を導入して後燃えを発生させれば、内燃機関から排出されるＨＣを燃焼させて、触媒に流入するＨＣ量を低減して大気中に排出されるＨＣ量を低減することができる。また、内燃機関から排出される排ガスの空燃比がリッチになっている時でも、二次空気を導入すれば、触媒流入ガスの空燃比を理論空燃比付近（触媒の浄化ウインド）に調整することができ、触媒でのＮＯｘ浄化率を向上させて大気中に排出されるＮＯｘ量を低減することができる。
【００１２】
この場合、請求項４のように、後燃え可能な排ガス温度のときに二次空気を導入するようにすると良い。このようにすれば、二次空気導入直後から後燃えを確実に発生させることができる。
【００１３】
また、始動時は、請求項５のように、気筒内で最初の爆発が発生した後に、二次空気を導入するようにしても良い。気筒内で最初の爆発が発生すれば、排ガス温度が上昇し始めるので、最初の爆発が発生した後に、二次空気の導入を開始すれば、排ガスが後燃え可能な温度に昇温した瞬間から後燃えを発生させて触媒の暖機を開始することができる。
【００１４】
また、始動時に、二次空気の導入タイミングを早くし過ぎると、排ガス温度が十分に上昇する前に二次空気が導入されてしまい、後燃えが発生しないため、二次空気の導入が排ガス温度を低下させる結果となってしまい、後燃えの発生時期が遅れる原因となる。
【００１５】
そこで、請求項６のように、始動から所定期間が経過するまで、二次空気の導入を禁止するようにしても良い。このようにすれば、始動時に排ガス温度が十分に上昇してから二次空気を導入することができ、二次空気導入直後から後燃えを確実に発生させることができる。
【００１６】
また、請求項７のように、排ガス温度の低下要求が発生したときに二次空気の導入を禁止するようにしても良い。つまり、後燃えにより触媒が過熱状態になると、排ガス温度の低下要求が発生し、二次空気の導入が禁止される。これにより、排ガス温度を低下させて触媒温度を低下させることができ、後燃えによる触媒の過熱劣化を防止することができる。
【００１７】
二次空気の導入開始時は、排ガス温度が多量の後燃えを発生するまでには上昇していないため、二次空気の導入開始当初から多量の二次空気を導入すると、二次空気の導入による排ガス温度の低下で後燃えが発生しなくなるおそれがあり、却って後燃えの発生が遅くなるおそれがある。
【００１８】
そこで、請求項８のように、始動からの経過時間又は触媒の暖機要求時からの経過時間又は排ガス温度の低下時からの経過時間に応じて二次空気の導入流量を制御するようにしても良い。例えば、二次空気導入開始当初は、二次空気の導入流量を少なくし、その後、徐々に増加させていけば、二次空気の導入による排ガス温度の低下を抑えながら、効率良く後燃え発生させて排ガス温度を上昇させていくことができる。また、二次空気導入後期では、二次空気の導入流量を後燃えで消費される量よりも多くすれば、二次空気の酸素を触媒内にも供給して触媒内でのＨＣの反応を促進し、後燃えと反応熱との相乗効果によって触媒を効率良く暖機することができる。
【００１９】
また、請求項１に係る発明は、排ガスの空燃比を検出する空燃比センサを設け、空燃比フィードバック制御手段によって空燃比センサの出力に基づいて排ガスの空燃比を目標空燃比にフィードバック制御するようにしている。このようにすれば、触媒上流側の排ガス通路に二次空気を導入しても、空燃比センサの出力から触媒流入ガスの空燃比を検出又は推定して、触媒流入ガスの空燃比を目標空燃比に制御することができる。尚、空燃比センサは、触媒よりも先に活性化するため、触媒活性前であっても、空燃比センサの活性後は、フィードバック制御を実施することができる。
【００２０】
この場合、二次空気を導入する際に、触媒の暖機要求時は、請求項１のように、二次空気導入位置よりも上流側の排ガスの空燃比を理論空燃比付近に制御すれば良い。このようにすれば、触媒流入ガスの空燃比をリーンに制御できるため、活性前の触媒に流入するＨＣ量を少なくすることができ、大気中に排出されるＨＣ量を低減することができる。
【００２１】
また、二次空気を導入する際に、車両走行時は、請求項１のように、二次空気導入位置よりも上流側の排ガスの空燃比をリッチに制御することで、触媒流入ガスの空燃比を理論空燃比付近に制御すれば良い。車両走行時は、内燃機関からのＮＯｘ排出量が増加すると共に、触媒温度がある程度上昇しているため、触媒流入ガスの空燃比（二次空気導入位置よりも下流側の排ガスの空燃比）を理論空燃比付近（触媒の浄化ウインド）に制御すれば、触媒でのＮＯｘ浄化率を向上させることができ、大気中に排出されるＮＯｘ量を低減することができる。
【００２２】
空燃比フィードバック制御を行う場合、請求項９のように、二次空気導入位置よりも下流側に空燃比センサを設置しても良い。このようにすれば、触媒流入ガスの空燃比を空燃比センサで直接検出して、触媒流入ガスの空燃比を精度良くフィードバック制御することができる。
【００２４】
また、請求項１０のように、排ガス通路に接続された二次空気導入通路に二次空気を圧送するエアポンプと、二次空気導入通路を開閉する開閉弁と逆止弁とを一体化したコンビネーションバルブと、開閉弁の駆動圧力を切り換える切換弁とから二次空気導入装置を構成し、二次空気導入制御手段で切換弁を制御して駆動圧力を切り換えて開閉弁を開閉することで二次空気の導入／導入停止を制御するようにしても良い。このようにすれば、切換弁の制御によって二次空気の導入タイミングを任意に設定することができると共に、逆止弁によって排ガスがエアポンプ側に逆流することを防止できる。
【００２５】
また、請求項１１のように、触媒上流側の排ガス通路の複数箇所に二次空気を導入するようにしても良い。このようにすれば、排ガス通路の上流側に導入した二次空気で後燃えを発生させて排ガス温度を上昇させながら、その下流側に導入した二次空気によっても後燃えを発生させて排ガス温度を更に上昇させることができる。これにより、触媒の早期暖機効果及びＨＣ排出量の低減効果を向上させることができると共に、下流側に導入した二次空気を触媒内に供給して触媒内でのＨＣの反応を促進させ、その反応熱によって触媒の早期暖機効果を更に向上させることができる。
【００２６】
また、請求項１２のように、触媒上流側の排ガス通路のうちの排ガス温度が後燃え可能な温度範囲となる位置に二次空気を導入すると良い。この場合、二次空気導入位置は、定位置に固定しても良いが、後燃え可能な温度範囲が排ガス温度の上昇と共に排ガス通路の下流側に広がっていくのに対応して、二次空気の導入位置を排ガス通路の下流側に順番に切り換えるようにしても良い。このようにすれば、排ガス温度の上昇に伴って、後燃え発生位置を触媒に近付けていくことができ、後燃えによる触媒の早期暖機効果を更に向上させることができる。
【００２７】
一方、請求項１３のように、機関冷間時に内燃機関の点火時期を暖機後よりも遅角側に制御するようにすると良い。このようにすれば、筒内の混合気の燃焼を遅らせて、通常よりも高温の排ガスを排ガス通路に排出することができ、排ガス通路内の排ガス温度を後燃え可能な温度に昇温させることができる。
【００２８】
この場合、請求項１４のように、筒内混合気の空燃比を理論空燃比付近又は弱リッチに制御すると良い。これにより、後燃えを発生させるのに適量のリッチ成分を排ガス通路に供給することができると共に、触媒流入ガスの空燃比を弱リーンに制御することができ、活性前の触媒に流入するＨＣ量を少なくすることができ、大気中に排出されるＨＣ量を低減することができる。
【００２９】
更に、請求項１５のように、点火遅角制御中の点火時期遅角量に基づいて排ガスの目標空燃比を設定したり、或は、請求項１６のように、点火遅角制御中の点火時期遅角量が大きいほど、排ガスの目標空燃比を理論空燃比に近づけて設定しても良い。つまり、その時々の点火時期遅角量に対応させて排ガスの目標空燃比を設定すれば、点火遅角量に応じて燃料噴射量（筒内の混合気の空燃比）が制御され、燃焼状態を安定させながら、排ガス温度を後燃え可能な温度に昇温させることができる。
【００３０】
また、本発明を可変バルブタイミング機構付きの内燃機関に適用する場合は、請求項１７のように、吸気弁と排気弁のバルブオーバーラップ量を制御することで排ガス温度を後燃え可能な温度範囲に制御するようにしても良い。つまり、吸気弁と排気弁のバルブオーバーラップ量を増やすと、内部ＥＧＲが増加して、筒内の燃焼速度が低下するため、筒内温度のピークを遅らせることができる。これにより、通常よりも高温の排ガスを排ガス通路に排出することができ、排ガス通路内の排ガス温度を後燃え可能な温度に昇温させることができる。
【００３１】
或は、請求項１８のように、排気弁の開弁タイミングを進角側に制御することで排ガス温度を後燃え可能な温度範囲に制御するようにしても良い。つまり、排気弁の開弁タイミングを進角させれば、筒内温度のピーク付近で排ガスを排ガス通路に排出することができ、排ガス通路内の排ガス温度を後燃え可能な温度に昇温させることができる。
【００３２】
また、請求項１９のように、機関運転状態に基づいて排ガス昇温制御を実施するか否かを判定するようにしても良い。このようにすれば、排ガス昇温制御が必要な運転状態でのみ、排ガス昇温制御を実施することができるので、必要以上に排ガス温度を上昇させることがなくなり、触媒や空燃比センサ等の過熱劣化を防止することができる。
【００３３】
更に、請求項２０のように、冷間始動時に機関回転速度が暖機後のアイドル回転速度よりも高い始動時回転速度に制御されているときに排ガス昇温制御を実施するようにしても良い。つまり、機関回転速度が暖機後のアイドル回転速度よりも高い始動時回転速度に制御されているときは、暖機後のアイドル時と比較して点火から排気までの時間が短くなり且つ燃焼間隔も短くなると共に、排ガス流量が多くなるため、排ガス温度の昇温効果をより一層高めることができる。
【００３４】
また、請求項２１のように、始動から所定時間が経過した後は、排ガス昇温制御を禁止するようにしても良い。このようにすれば、排ガス昇温制御（点火遅角制御等）が必要以上に長引くことを防止でき、触媒や空燃比センサ等の過熱劣化を防止することができる。
【００３５】
また、請求項２２のように、排ガス昇温制御中にトルク変動を抑制するトルク変動抑制制御を実施するようにしても良い。つまり、排ガス昇温制御を実施する際に、トルク変動が発生する可能性があるため、このトルク変動をトルク変動抑制制御によって抑制することで、ドライバビリティ悪化を防ぐことができる。尚、トルク変動抑制制御は、例えば、１回の燃焼行程につき複数回の点火動作を行ったり、複数箇所で点火動作を行わせることが考えられる。この際、その時々の燃焼条件に合わせて点火間隔又は点火回数を変化させるようにしても良い。
【００３６】
【発明の実施の形態】
《実施形態（１）》
以下、本発明の実施形態（１）を図１乃至図８に基づいて説明する。まず、図１に基づいてエンジン制御システム全体の概略構成を説明する。内燃機関であるエンジン１１の吸気管１２の最上流部には、エアクリーナ（図示せず）が設けられ、このエアクリーナの下流側には、吸入空気量を検出するエアフローメータ１３が設けられている。このエアフローメータ１３の下流側には、スロットルバルブ１４とスロットル開度を検出するスロットル開度センサ１５とが設けられている。
【００３７】
更に、エンジン１１の各気筒に空気を導入する吸気マニホールド１６の吸気ポートの近傍には、それぞれ燃料を噴射する燃料噴射弁１７が取り付けられている。エンジン１１のシリンダヘッドには、各気筒毎に点火プラグ１８が取り付けられ、各点火プラグ１８の火花放電によって筒内の混合気に点火される。
【００３８】
エンジン１１の吸気弁１９と排気弁２０は、それぞれカム軸２１，２２によって駆動され、吸気側のカム軸２１には、吸気弁１９の開閉タイミングを可変する油圧式の可変バルブタイミング機構２３が設けられ、一方、排気側のカム軸２２には、排気弁２０の開閉タイミングを可変する油圧式の可変バルブタイミング機構２４が設けられている。各可変バルブタイミング機構２３，２４を駆動する油圧は、それぞれ油圧制御弁（図示せず）によって制御される。
【００３９】
吸気側のカム軸２１には、該カム軸２１の回転位置（進角量）を検出する吸気側カム位置センサ２５が設けられ、排気側のカム軸２２には、該カム軸２２の回転位置（進角量）を検出する排気側カム位置センサ２６が設けられている。また、基準位置センサ２７は、７２０℃Ａ毎に気筒判別用のパルス信号を出力し、回転角センサ２８は、より細かなクランク角毎（例えば３０℃Ａ毎）にパルス信号を出力する。これら各センサ２７，２８のパルス信号に基づいて基準クランク位置及びエンジン回転速度が検出される。エンジン１１のシリンダブロックには、エンジン冷却水温を検出する水温センサ２９が取り付けられている。
【００４０】
一方、エンジン１１の排気管３０（排ガス通路）には、排ガス中のＨＣ（炭化水素）、ＣＯ（一酸化炭素）、ＮＯｘ（窒素酸化物）を浄化する三元触媒等の触媒３１が設けられている。この触媒３１の上流側には、排ガスの空燃比に応じたリニアな空燃比信号を出力する空燃比センサ３２（又は酸素センサ）が設けられている。本実施形態（１）では、この空燃比センサ３２の上流側に後述する二次空気導入装置３４の二次空気導入位置が設定されるため、触媒３１に流入する排ガス（二次空気を含む排ガス）の空燃比を空燃比センサ３２で直接検出してフィードバック制御することができる。触媒３１の下流側には、排ガスの空燃比が理論空燃比に対してリッチかリーンかによって出力電圧が反転する酸素センサ３３が設けられている。
【００４１】
次に、排気管３０に外気を二次空気として導入する二次空気導入装置３４の構成を説明する。排気管３０のうちの空燃比センサ３２の上流側には、二次空気を導入するための二次空気導入管３５（二次空気導入通路）が接続されている。この二次空気導入管３５の接続位置、すなわち、二次空気導入位置は、排気管３０内の排ガス温度が、排ガス中のリッチ成分が燃焼する後燃え可能な温度（例えば７００℃）以上となる範囲内（図２参照）に設定されている。
【００４２】
二次空気導入管３５の最上流部には、エアフィルタ３６が設けられ、このエアフィルタ３６の下流側に、二次空気を圧送するエアポンプ３７が設けられている。このエアポンプ３７の下流側には、コンビネーションバルブ３８が設けられている。このコンビネーションバルブ３８は、二次空気導入管３５を開閉する圧力駆動型の開閉弁３９の下流側に逆止弁４０を一体化して構成されている。コンビネーションバルブ３８の開閉弁３９は、吸気圧導入管４１を介して吸気管１２に接続され、この吸気圧導入管４１の途中に設けられた電磁駆動型の切換弁４２によって開閉弁３９の駆動圧力を大気圧と吸気圧との間で切り換えるようになっている。
【００４３】
二次空気を導入する場合は、電磁駆動型の切換弁４２をオン（吸気圧導入位置）に切り換えて圧力駆動型の開閉弁３９に吸気圧を導入することで開閉弁３９を開弁する。これにより、エアポンプ３７から吐出された二次空気が開閉弁３９を通過して逆止弁４０側に流れ、その圧力で逆止弁４０が開弁されて、二次空気が排気管３０に導入される。
【００４４】
一方、二次空気の導入を停止する場合は、切換弁４２をオフ（大気圧導入位置）に切り換えて開閉弁３９に大気圧を導入することで開閉弁３９を閉弁する。これにより、排気管３０への二次空気の導入が停止されると共に、逆止弁４０に二次空気の圧力が作用しなくなって排気管３０側の圧力が高くなるため、逆止弁４０が自動的に閉弁して、排気管３０内の排ガスがエアポンプ３７側に逆流することが防止される。
【００４５】
上述した各種のセンサの出力は、エンジン制御回路（以下「ＥＣＵ」と表記する）４３に入力される。ＥＣＵ４３は、ＣＰＵ４４、ＲＯＭ４５、ＲＡＭ４６、バックアップＲＡＭ４７等からなるマイクロコンピュータを主体として構成され、ＲＯＭ４５に記憶された各ルーチンを実行することで、燃料噴射弁１７、点火プラグ１８、吸気側及び排気側の可変バルブタイミング機構２３，２４、二次空気導入装置３４等を制御する。
【００４６】
ところで、冷間始動時には、触媒３１が未活性の状態であるため、エンジン１１から排出されるＨＣ，ＣＯ，ＮＯｘ等を十分に浄化することができない。そこで、ＥＣＵ４３は、図４の点火時期制御ルーチンを実行することで、点火プラグ１８の点火時期を遅角制御すると共に、図５のＶＶＴ制御ルーチンを実行することで、可変バルブタイミング機構２３，２４を制御して排気弁２０の開弁タイミングを進角させ且つ吸気弁１９と排気弁２０のバルブオーバーラップ量を増加させて、排ガス中のリッチ成分（ＨＣ，ＣＯ）が排気管３０内で燃焼可能な排ガス温度に昇温させる。
【００４７】
更に、ＥＣＵ４３は、図６及び図７の二次空気制御用のルーチンを実行することで、二次空気導入装置３４を制御して排気管３０内に後燃えを発生させるための外気を二次空気として導入する。これにより、エンジン１１から排出される高温の排ガス中のリッチ成分を、二次空気導入装置３４によって導入される二次空気の酸素と混合させて、触媒３１上流側の排気管３０内で後燃えを自然に発生させ、その燃焼熱で触媒３１を早期に暖機する。また、ＥＣＵ４３は、図３の燃料噴射制御ルーチンを実行することで、冷間始動時に、触媒３１に流入する排ガスの空燃比を弱リーン（筒内混合気はほぼ理論空燃比又は弱リッチ）に制御し、触媒３１に流入するＨＣ量を低減する。以下、これら各ルーチンの処理内容を説明する。
【００４８】
［燃料噴射制御］
図３の燃料噴射制御ルーチンは、例えば各気筒の燃料噴射毎（６気筒エンジンでは１２０℃Ａ毎）に実行される。本ルーチンが起動されると、まず、ステップ１０１〜１０３で、触媒暖機制御のための弱リーン空燃比制御を実施するか否かを次のようにして判定する。まず、ステップ１０１で、始動完了から所定時間（例えば１秒）が経過したか否かを判定する。始動完了は、例えば、エンジン回転速度Ｎｅが始動判定値を越えたか否かにより判定する。始動完了から所定時間が経過していれば、ステップ１０２に進み、エンジン冷却水温Ｔｗが所定温度（例えば６０℃）未満であるか否かを判定し、エンジン冷却水温Ｔｗが所定温度よりも高ければ、エンジン１１を高温の状態で再始動する高温再始動時ではないと判断して、ステップ１０３に進み、触媒暖機制御を継続するか否かを判定する。具体的には、スタータオン（クランキング開始）から２０秒が経過したか否か、或は、非アイドル状態になったか否かを判定し、スタータオンから２０秒が経過していれば、或は、非アイドル状態になっていれば、触媒暖機制御を継続しないと判定する。
【００４９】
上記ステップ１０１〜１０３のいずれか１つでも「Ｎｏ」と判定された場合は、触媒暖機制御が不要と判断して、ステップ１０４に進み、通常の燃料噴射制御を実施する。この通常の燃料噴射制御では、エンジン始動当初には、エンジン冷却水温Ｔｗに応じた暖機増量補正などの始動時燃料噴射制御を実施する。また、エンジン暖機完了後は、空燃比フィードバック制御を実施して、空燃比センサ３２の検出値と目標空燃比とが一致するように、エンジン運転状態に応じた基本噴射量に対して補正を実施する。
【００５０】
一方、上記ステップ１０１〜１０３で全て「Ｙｅｓ」と判定された場合は、触媒暖機制御が必要と判断して、ステップ１０５に進み、弱リーン空燃比制御を実施して、触媒３１に流入する排ガス（触媒流入ガス）の空燃比が弱リーン（例えばＡ／Ｆ＝１６）となるように燃料噴射弁１７の燃料噴射量を制御する。二次空気の導入中は、筒内混合気の空燃比を理論空燃比付近又弱リッチに制御すれば、二次空気の導入によって触媒流入ガスの空燃比が弱リーンとなり、触媒３１に流入するＨＣ量を少なくして大気中に排出されるＨＣ量を低減することができる。また、筒内混合気の空燃比を理論空燃比付近又弱リッチに制御することで、後燃えに必要なリッチ成分を排気管３０に供給することができる。
【００５１】
この場合、空燃比センサ３２の活性前は、触媒流入ガスの目標空燃比を弱リーン（例えばＡ／Ｆ＝１６）に設定して燃料噴射量をオープンループ制御すれば良いが、空燃比センサ３２は、触媒３１よりも先に活性化するため、触媒３１活性前であっても、空燃比センサ３２の活性後は、空燃比フィードバック制御を実施することができる。
【００５２】
［点火時期制御］
図４の点火時期制御ルーチンは、例えば各気筒の燃料噴射毎に実行され、特許請求の範囲でいう排ガス昇温制御手段としての役割を果たす。本ルーチンが起動されると、まず、ステップ２０１〜２０３で、触媒暖機制御のための点火時期遅角制御（排ガス昇温制御）を実施するか否かを判定する。このステップ２０１〜２０３の処理は上記図３のステップ１０１〜１０３の処理と同じである。
【００５３】
上記ステップ２０１〜２０３のいずれか１つでも「Ｎｏ」と判定された場合は、ステップ２０４に進み、触媒暖機制御が不要と判断して、通常の点火時期制御を実施する。この通常の点火時期制御では、エンジン始動当初には、点火時期を例えば圧縮ＴＤＣ前（ＢＴＤＣ）５℃Ａに固定する。また、エンジン暖機完了後には、エンジン運転状態に応じた基本進角度に対してアイドル安定化補正やノック進角補正等を行い、最適な進角値により点火時期を制御する。
【００５４】
一方、上記ステップ２０１〜２０３で全て「Ｙｅｓ」と判定された場合は、触媒暖機制御が必要と判断して、ステップ２０５に進み、点火時期遅角制御を実施して、点火プラグ１８の点火時期を例えば圧縮ＴＤＣ後（ＡＴＤＣ）１０℃Ａに遅角する。これにより、筒内の混合気の燃焼を遅らせて排気管３０内に排出する排ガスの温度を高温にする。
【００５５】
［ＶＶＴ制御］
図５のＶＶＴ制御ルーチンは、所定周期（例えば６４ｍｓ周期）で実行され、特許請求の範囲でいう排ガス昇温制御手段としての役割を果たす。本ルーチンが起動されると、まず、ステップ３０１〜３０３で、触媒暖機制御のための吸気弁１９及び排気弁２０のバルブタイミング制御（排ガス昇温制御）を実施するか否かの判定を行う。このステップ３０１〜３０３の処理は前記図３のステップ１０１〜１０３の処理と同じである。
【００５６】
上記ステップ３０１〜３０３のいずれか１つでも「Ｎｏ」と判定された場合は、ステップ３０４に進み、触媒暖機制御が不要と判断して、通常のＶＶＴ制御を実施する。通常のＶＶＴ制御では、エンジン始動当初には、吸気弁１９及び排気弁２０のバルブタイミングを最遅角位置で制御する。また、エンジン暖機完了後には、ＶＶＴフィードバック制御を実施して、エンジン運転状態に応じて吸気弁１９のバルブタイミングの目標進角量を設定し、その目標進角量と吸気側カム位置センサ２５の検出値とが一致するように吸気側可変バルブタイミング機構２３をフィードバック制御する。
【００５７】
一方、上記ステップ３０１〜３０３で全て「Ｙｅｓ」と判定された場合は、触媒暖機制御が必要と判断して、ステップ３０５に進み、排気弁２０の開弁タイミングを１５℃Ａ進角させ、且つ、吸気弁１１と排気弁２０のバルブオーバーラップ量を３０℃Ａに増加させる。このように、バルブオーバーラップ量を増加させると、内部ＥＧＲが増加して筒内での燃焼速度が低下するため、筒内温度のピークが遅くなる。更に、排気弁２０の開弁タイミングを進角させると、筒内温度のピーク付近で排ガスが排気管３０内に排出され、排ガス温度を高温にすることができる。
【００５８】
［二次空気導入制御］
図６の二次空気導入制御ルーチンは、所定周期で実行される。本ルーチンが起動されると、まず、ステップ４０１で、後述する図７の二次空気導入判定ルーチンを実行して二次空気導入フラグＦＡＢを、二次空気導入の許可を意味する「オン」又は二次空気導入の禁止を意味する「オフ」に設定する。
【００５９】
この後、ステップ４０２に進み、二次空気導入フラグＦＡＢがオンか否かを判定し、二次空気導入フラグＦＡＢがオンであれば、切換弁４２をオン（吸気圧導入位置）に切り換えて開閉弁３９を開弁すると共に、エアポンプ３７を作動させて（ステップ４０３，４０４）、二次空気を排気管３０に導入する。
【００６０】
一方、二次空気導入フラグＦＡＢがオフであれば、切換弁４２をオフ（大気圧導入位置）に切り換えて開閉弁３９を閉弁すると共に、エアポンプ３７を停止させて（ステップ４０５，４０６）、二次空気の導入を停止する。
【００６１】
以上説明した図６の二次空気導入制御ルーチンは、後述する図７の二次空気導入判定ルーチンと共に特許請求の範囲でいう二次空気導入制御手段としての役割を果たす。
【００６２】
［二次空気導入判定］
次に、上記ステップ４０１で実行される図７の二次空気導入判定ルーチンの処理内容を説明する。本ルーチンが起動されると、まず、ステップ５０１で、始動が完了したか否かを、エンジン回転速度Ｎｅが始動判定値を越えたか否かにより判定し、始動完了前であれば、ステップ５０２に進み、気筒内で最初の爆発が発生したか否かを判定する。まだ、最初の爆発が発生していなければ、ステップ５０４に進み、二次空気導入フラグＦＡＢをオフにセットして、本ルーチンを終了する。その後、最初の爆発が発生したときに、ステップ５０５に進み、二次空気導入フラグＦＡＢをオンにセットして（図８参照）、本ルーチンを終了する。
【００６３】
一方、ステップ５０１で、始動完了と判定された場合は、ステップ５０３に進み、二次空気導入条件が成立しているか否かを判定する。この二次空気導入条件は、例えば、次の▲１▼〜▲３▼である。
▲１▼排ガス温度が後燃え可能な温度（例えば７００℃）以上であること
▲２▼触媒温度が所定温度より低いこと
▲３▼エンジン１１のＨＣ排出量が比較的多くなる運転状態であること
【００６４】
上記▲３▼の条件は、例えば、エンジン回転数Ｎｅ、吸気管圧力ＰＭ、吸入空気量Ｇａ等の変動が所定値以上であること、燃焼の不安定度を表すラフネス値が所定値以上であること、エンジン回転数Ｎｅが所定値以上で点火時期の遅角量が所定値以上であること等であり、要は、筒内の燃焼状態がある程度不安定であることである。このような場合、エンジン１１から未燃ＨＣが排出されるため、後燃えに必要なＨＣを排気管３０内に供給できると共に、後燃えにより触媒３１に流入するＨＣ量（大気中へのＨＣ排出量）を低減することもできる。
【００６５】
また、上記▲１▼の条件を満たしていれば、二次空気導入直後から後燃えを確実に発生させることができる。排ガスの温度は、冷却水温等から推定したり、或は、排ガス通路に温度センサを設置して検出しても良い。
【００６６】
また、上記▲２▼における所定温度は、例えば触媒３１の活性温度範囲の下限値又はそれよりも少し高い温度に設定されている。従って、触媒温度が所定温度よりも低いときは、触媒３１を暖機する必要があるため、二次空気を導入して後燃えにより触媒３１の暖機を促進する。一方、触媒温度が所定温度以上であるときは、触媒３１が活性状態であり、触媒３１を暖機する必要がないため、二次空気の導入を禁止して、後燃えによる触媒３１の過熱を防止する。尚、触媒３１の温度は、排ガス温度等から推定したり、或は、触媒３１に温度センサを設置して検出しても良い。
【００６７】
以上説明した▲１▼と▲２▼の条件が満たされたとき、又は、▲１▼と▲３▼の条件が満たされたときに、二次空気導入条件が成立し、ステップ５０５に進み、二次空気導入フラグＦＡＢをオンにセットして、本ルーチンを終了する。一方、二次空気導入条件が不成立の場合は、ステップ５０４に進み、二次空気導入フラグＦＡＢをオフにセットして、本ルーチンを終了する。
【００６８】
尚、二次空気導入条件の判定方法は、種々変更可能であり、例えば、▲２▼の条件（触媒温度＜所定温度）が満たされたときに、二次空気導入条件が成立するようにしたり、或は、▲３▼の条件（エンジン１１のＨＣ排出量増加）が満たされたときに、二次空気導入条件が成立するようにしても良い。
【００６９】
以上説明した実施形態（１）によれば、触媒暖機制御中（排ガス昇温制御中）に、点火時期を遅角制御すると共に、排気弁２０の開弁タイミングを進角させ且つ吸気弁１９と排気弁２０のバルブオーバーラップ量を増加させるようにしたので、これらの制御の相乗効果によって排気管３０内の排ガス温度を速やかに後燃え可能な温度に昇温させることができる。そして、図８に示すように、始動時に気筒内で最初の爆発発生直後から二次空気導入装置３４によって二次空気を排気管３０に導入し、エンジン１１から排出される排ガス中のリッチ成分を二次空気の酸素と混合させて、排ガスが後燃え可能な温度に昇温した瞬間から後燃えを発生させ、その燃焼熱で触媒３１を暖機する。これにより、触媒３１を早期に暖機することができると共に、後燃えによってエンジン１１から排出されるＨＣが燃焼されるため、触媒活性前でも、大気中に排出されるＨＣ量を低減することができる。しかも、排ガスに着火する着火装置を設ける必要がないため、構成簡単化・低コスト化の要求も満たすことができる。
【００７０】
また、始動時に、二次空気の導入タイミングを早くし過ぎると、排ガス温度が十分に上昇する前に二次空気が導入されてしまい、後燃えが発生しないため、二次空気の導入が排ガス温度を低下させる結果となってしまい、後燃えの発生時期が遅れる原因となるが、本実施形態（１）では、二次空気の導入開始タイミングを最初の爆発発生後に設定することで、それまでの期間は二次空気の導入を禁止するようにしているので、始動時に排ガス温度が上昇し始めてから二次空気を導入することができ、排気管３１内の排ガス温度の低下を防止して後燃え発生の遅れを防止することができる。尚、始動から所定時間、二次空気の導入を禁止するようにしても良い。
【００７１】
ところで、冷間始動時には触媒３１が未活性状態であることは言うまでもないが、活性後の触媒３１でも、運転状態によっては触媒温度が低下して未活性状態になることがある。その点、本実施形態（１）では、始動完了後、触媒温度が所定温度未満となったとき（触媒３１の暖機要求があるとき）、二次空気を導入するようにしているので、冷間始動時に限らず、触媒３１が一旦暖機した後でも、触媒３１が未活性状態に温度低下すれば、それを後燃えにより早期に活性状態に回復させることができる。
【００７２】
また、本実施形態（１）では、エンジン１１のＨＣ排出量が多い運転状態のとき（触媒３１に流入するＨＣの低減要求があるとき）にも、二次空気を導入するようにしているので、エンジン１１から排出されるＨＣを後燃えさせて、大気中に排出されるＨＣ量を低減することができる。
【００７３】
更に、本実施形態（１）では、エンジン冷却水温Ｔｗやスタータオンからの経過時間に基づいて排ガス昇温制御（点火遅角制御、バルブタイミング制御）を実施するか否かを判定するようにしているので、排ガス昇温制御の必要なときのみ排ガス昇温制御を実施することができて、必要以上に排ガス温度を上昇させることがなくなり、触媒３１や空燃比センサ１７等の過熱劣化を防止することができる。
【００７４】
尚、本実施形態（１）では、排ガス昇温制御を行う際に、▲１▼点火時期の遅角制御、▲２▼排気弁２０の開弁タイミングの進角制御、▲３▼バルブオーバーラップ量の増加を組み合わせて実施して、これらの制御の相乗効果によって排ガス昇温効果を高めるようにしたが、▲１▼〜▲３▼のうちの１つ又は２つを実施して排ガス温度を後燃え可能な温度に昇温するようにしても良い。
【００７５】
《実施形態（２）》
次に、図９及び図１０を用いて本発明の実施形態（２）を説明する。本実施形態（２）で実行される図９の二次空気導入制御ルーチンは、図６のステップ４０４の処理を、ステップ４０４ａとステップ４０４ｂの処理に変更したものであり、これ以外の各ステップの処理は図６と同じである。尚、本実施形態（２）のシステム構成は、前記実施形態（１）と同じである。
【００７６】
図９の二次空気導入制御ルーチンでは、二次空気導入フラグＦＡＢがオンと判定されると、切換弁４２をオンして開閉弁３９を開弁した後（ステップ４０１〜４０３）、ステップ４０４ａに進み、始動（スタータオン又は始動完了）からの経過時間をパラメータとするエアポンプ３７のデューティ比Ｄｕｔｙのマップを検索して、始動からの経過時間に応じたエアポンプ３７のデューティ比Ｄｕｔｙを算出する。このデューティ比Ｄｕｔｙのマップ特性は、始動から所定時間が経過するまでは始動からの経過時間に応じてデューティ比Ｄｕｔｙが増加し、その後は、デューティ比Ｄｕｔｙがほぼ一定値となるように設定されている。
【００７７】
この後、ステップ４０４ｂに進み、エアポンプ３７の作動電圧Ｖｐをエアポンプ３７の最大作動電圧Ｖｍにデューティ比Ｄｕｔｙを乗算して求め（Ｖｐ＝Ｖｍ×Ｄｕｔｙ）、この作動電圧Ｖｐでエアポンプ３７を作動させる。
【００７８】
本実施形態（２）では、図１０に示すように、始動時に気筒内で最初の爆発が発生すると、二次空気導入装置３４による二次空気導入が開始され、エアポンプ３７で送られるエア流量、つまり、二次空気の導入流量ＡＰＱは、二次空気導入開始当初は、少なく、その後、徐々に増加した後、ほぼ一定流量となる。これにより、二次空気の導入による温度低下を抑えながら、効率良く後燃え発生させて排気管３１内の排ガス温度を上昇させていくことができる。また、二次空気導入後期では、二次空気の導入流量ＡＰＱが後燃えで消費される量よりも多くなるため、二次空気の酸素を触媒３１内にも供給して触媒３１内でのＨＣの反応を促進でき、後燃えと反応熱との相乗効果によって触媒３１を速やかに暖機することができる。
【００７９】
尚、上記実施形態（２）では、始動からの経過時間に応じて二次空気の導入流量（エアポンプ３７のデューティ比Ｄｕｔｙ）を設定したが、始動後の触媒３１の暖機要求時に二次空気を導入する場合には、排ガス温度の低下時や排ガス温度の昇温要求時からの経過時間に応じて二次空気の導入流量を設定すれば良い。
【００８０】
《実施形態（３）》
次に、図１１乃至図１３を用いて本発明の実施形態（３）を説明する。本実施形態（３）では、図１１に示すように、二次空気導入管４８の下流部が、導入位置切換弁４９を介して３本の導入部４８ａ、４８ｂ、４８ｃに分岐され、各導入部４８ａ、４８ｂ、４８ｃが、それぞれ空燃比センサ３２上流側の排気管３０の上流部、中流部、下流部に接続されている。本実施形態（３）では、排気管３０の排ガス温度が下流に向かうほど放熱により低下することを考慮し、エンジン１１の暖機後の状態の時に、排気熱によって排ガス温度が後燃え可能な温度となる範囲が上流部と中流部の導入部４８ａ，４８ｂの接続位置までとなるように、各導入部４８ａ、４８ｂ、４８ｃの接続位置が設定されている。従って、エンジン１１の暖機前の状態では、排気熱によって排ガス温度が後燃え可能な温度となる範囲が上流部の導入部４８ａの接続位置までである。
【００８１】
この場合、導入位置切換弁４９を３箇所導入位置に切り換えると、エアポンプ３７からの二次空気を３箇所の導入部４８ａ，４８ｂ，４８ｃに流す流路が全て開放されて、二次空気が３箇所の導入部４８ａ，４８ｂ，４８ｃから排気管３０内に導入される。また、導入位置切換弁４９を２箇所導入位置に切り換えると、上流部の導入部４８ａへの流路が閉鎖され、中流部と下流部の２箇所の導入部４８ｂ，４８ｃから二次空気が排気管３０内に導入される。その他のシステム構成は、前記実施形態（１）と同じである。
【００８２】
また、本実施形態（３）で実行される図１２の二次空気導入制御ルーチンは、図６のステップ４０２とステップ４０３の間に、ステップ４１１〜４１３の処理を追加したものであり、これ以外の各ステップの処理は図６と同じである。
【００８３】
本ルーチンでは、二次空気導入フラグＦＡＢがオンと判定されると（ステップ４０１，４０２）、ステップ４１１に進み、冷却水温Ｔｗが所定温度よりも高いか否かを判定し、冷却水温Ｔｗが所定温度以下であれば、エンジン１１の暖機前であるため、排気熱によって排ガス温度が後燃え可能な温度となる範囲が上流部の導入部４８ａの接続位置までと判断して、ステップ４１２に進み、導入位置切換弁４９を３箇所導入位置に切り換える。そして、切換弁４２をオンして開閉弁３９を開弁すると共に、エアポンプ３７を作動させて（ステップ４０３，４０４）、３箇所の導入部４８ａ，４８ｂ，４８ｃから二次空気を排気管３０内に導入する。
【００８４】
エンジン１１の暖機前は、排気熱によって排ガス温度が後燃え可能な温度となる範囲が上流部の導入部４８ａの接続位置までであるが、上流部の導入部４８ａから導入した二次空気によって後燃えが発生して、その下流側の排ガス温度が上昇し、中流部の導入部４８ｂの接続位置までも後燃え可能な温度となるため、中流部の導入部４８から導入した二次空気によっても後燃えが発生して、その下流側の排ガス温度が上昇する。これにより、下流部の導入部４８ｃの接続位置までも後燃え可能な温度となるため、下流部の導入部４８ｃから導入した二次空気によっても後燃えが発生して、その下流側の触媒３１付近の排ガス温度が上昇し、触媒３１が暖機される。
【００８５】
その後、ステップ４１１で、冷却水温Ｔｗが所定温度よりも高いと判定された場合は、エンジン１１の暖機が完了しているため、排気熱によって排ガス温度が後燃え可能な温度となる範囲が中流部の導入部４８ｂの接続位置まで広がっていると判断して、ステップ４１３に進み、導入位置切換弁４９を２箇所導入位置に切り換え、中流部と下流部の２箇所の導入部４８ｂ，４８ｃのみから二次空気を排気管３０内に導入する。
【００８６】
この場合、中流部の導入部４８ｂから導入した二次空気で後燃えを発生させて排ガス温度を上昇させることで、後燃え可能な温度となる範囲が下流部の導入部４８ｃの接続位置まで広がるため、下流部の導入部４８ｃから導入した二次空気によっても後燃えが発生する。しかも、上流部の導入部４８ａへの流路が閉鎖されるため、その分、中流部と下流部の導入部４８ｂ，４８ｃからの二次空気の導入流量が増加する（図１３参照）。これにより、触媒３１の近くでより多くの後燃えを発生させることができ、触媒３１の暖機効果を高めることができる。
【００８７】
以上説明した実施形態（３）によれば、排気管３０の複数箇所から二次空気を導入して複数箇所で後燃えを発生させるようにしたので、後燃えを効率良く発生させることができると共に、下流部に導入した二次空気（酸素）を触媒３１内に供給して触媒３１内でのＨＣの反応を促進させ、その反応熱によっても触媒暖機効果を高めることができる。
【００８８】
また、本実施形態（３）では、エンジン１１の暖機状態に応じて後燃え可能な温度となる範囲が排気管３０の下流側に広がっていくことに着目して、エンジン１１の暖機後は、上流部の導入部４８ａへの流路を閉鎖して、その分、中流部と下流部の導入部４８ｂ，４８ｃからの二次空気の導入流量を増加せるようにしたので、触媒３１の近くでより多くの後燃えを発生させることができ、後燃えによる触媒３１の早期暖機効果を更に向上させることができる。
【００８９】
尚、本実施形態（３）では、３本の導入部４８ａ、４８ｂ、４８ｃの分岐部に設けた導入位置切換弁４９によって二次空気の導入位置を切り換えるようにしたが、図１４の例のように、導入位置切換弁４９の代わりに、上流部の導入部４８ａの途中に開閉弁５０を設け、この開閉弁５０の開閉によって、３箇所導入と２箇所導入とを切り換えるようにしても良い。
【００９０】
或は、図１５の例のように、３本の導入部４８ａ、４８ｂ、４８ｃの途中にそれぞれ開閉弁５０を設け、各導入部４８ａ、４８ｂ、４８ｃの開閉弁５０を個別に開閉して、３箇所導入と２箇所導入を切り換えるようにしても良い。
尚、二次空気の導入位置は３箇所に限定されず、２箇所又は４箇所以上であっても良く、また、二次空気の導入位置の切換パターンも適宜変更しても良い。
【００９１】
《実施形態（４）》
図１６及び図１７に示す本発明の実施形態（４）では、始動完了後、二次空気の導入を開始し、車両走行前（アイドル運転中）は、空燃比センサ３２の検出値、つまり、触媒３１に流入する排ガス（触媒流入ガス）の空燃比がリーン（例えばＡ／Ｆ＝１６〜１７．６）となるように燃料噴射弁１７の燃料噴射量をフィードバック制御する。但し、空燃比センサ３２の活性前は、燃料噴射量をオープンループ制御する。その後、車両走行時は、空燃比センサ３２の検出値、つまり、触媒流入ガスの空燃比が理論空燃比付近（例えばＡ／Ｆ＝１４．６）となるように燃料噴射量をフィードバック制御し、始動完了から所定時間が経過した時点で、二次空気の導入を停止する。
【００９２】
本実施形態（４）では、車両走行前の触媒３１の暖機中は、二次空気の導入による後燃えによって触媒３１を早期に暖機できると共に、触媒流入ガスの空燃比をリーンに制御するので、触媒３１に流入するＨＣ量を少なくして大気中に排出されるＨＣ量を低減することができる。また、車両走行時は、エンジン１１からのＮＯｘ排出量が増加することを考慮し、触媒流入ガスの空燃比を理論空燃比付近（触媒３１の浄化ウインド）に制御して、触媒３１でＮＯｘを浄化する。つまり、車両走行時は、それまでに触媒３１がある程度活性化されるので、触媒流入ガスの空燃比を理論空燃比付近に制御すれば、触媒３１でのＮＯｘ浄化率を向上させることができ、大気中に排出されるＮＯｘ量を低減することができる。
【００９３】
《実施形態（５）》
空燃比センサ３２は、必ずしも二次空気導入位置の下流側に配置する必要はなく、図１に点線で示すように、二次空気導入位置よりも上流側に空燃比センサ３２を配置しても良い。この場合は、図１８に示す本発明の実施形態（５）のように、車両走行前の触媒３１の暖機中は、空燃比センサ３２の検出値、つまり、エンジン１１から排出される排ガスの空燃比が理論空燃比付近（例えばＡ／Ｆ＝１４．６）となるように燃料噴射量をフィードバック制御することで、触媒流入ガスの空燃比がリーンとなるように制御する。その後、車両走行時は、空燃比センサ３２の検出値、つまり、エンジン１１から排出される排ガスの空燃比がリッチ（例えばＡ／Ｆ＝１２．６〜１３．２）となるように燃料噴射量をフィードバック制御することで、触媒流入ガスの空燃比を理論空燃比付近に制御する。更に、二次空気の導入停止後は、エンジン１１から排出される排ガスの空燃比が理論空燃比付近となるように燃料噴射量をフィードバック制御して、触媒流入ガスの空燃比を理論空燃比付近に制御する。
【００９４】
以上説明した実施形態（５）でも、前記実施形態（４）と同様の効果を得ることができる。
【００９５】
《実施形態（６）》
次に、図１９乃至図２７を用いて本発明の実施形態（６）を説明する。図１９は、本実施形態（６）におけるエンジン制御システム全体の概略構成図である。但し、前記実施形態（１）の図１と実質的に同じ部分には同一符号を付して説明を省略し、相違点のみを説明する。図１９の構成では、吸気側及び排気側の可変バルブタイミング機構２３，２４が省かれている。また、スロットル弁１４をバイパスするバイパス通路５１が設けられ、このバイパス通路５１にアイドルスピードコントロール弁（ＩＳＣ弁）５２が設けられている。冷間始動時には、ＩＳＣ弁５２が所定開度に調整されて、スロットル弁１４をバイパスする空気量が増量され、エンジン回転速度Ｎｅが暖機後のアイドル回転速度（例えば７００ｒｐｍ）よりも高い始動時回転速度（例えば１２００ｒｐｍ）に制御される。また、吸気管１２には、エアフローメータ１３に代えて、吸気管圧力ＰＭを検出する吸気圧センサ５３が設けられ、更に、吸気温Ｔａを検出する吸気温センサ５４も設けられている。
【００９６】
本実施形態（６）では、前記各実施形態と同じ方法で二次空気導入制御を行うと共に、図２０の触媒暖機制御条件判定ルーチン、図２１の点火時期制御ルーチン、図２２及び図２３の燃料噴射制御ルーチンを実行する。図２０の触媒暖機制御実行条件判定ルーチンでは、触媒暖機制御実行フラグＸＣＡＴを「１」又は「０」に設定する。ＸＣＡＴ＝１は触媒暖機制御実行条件の成立を意味し、ＸＣＡＴ＝０は触媒暖機制御実行条件の不成立を意味する。図２１の点火時期制御ルーチンでは、触媒暖機制御実行条件が成立したときに、点火時期の遅角補正値θＲＥを算出し、この遅角補正値θＲＥだけ基本点火時θＢＡＳＥを遅角側に制御して排ガス温度を昇温すると共に、多重点火を実施してトルク変動を抑制する。また、図２２及び図２３の燃料噴射制御ルーチンでは、触媒暖機制御実行条件が成立したときに、点火時期の遅角補正値θＲＥに応じて目標空燃比ＡＦtgを設定し、排ガスの空燃比が目標空燃比ＡＦtgとなるように燃料噴射量を制御する。以下、これら各ルーチンの処理内容を説明する。
【００９７】
［触媒暖機制御実行条件判定］
図２０の触媒暖機制御実行条件判定ルーチンは、所定時間毎（例えば１０ｍｓ毎）に実行され、まず、ステップ６０１〜６０５で、以下の触媒暖機制御実行条件が成立しているか否かを判定する。
【００９８】
▲１▼エンジン回転速度Ｎｅが所定範囲、例えば４００〜２０００ｒｐｍの範囲内であること（ステップ６０１）
▲２▼エンジン冷却水温Ｔｗが所定範囲、例えば０〜６０℃の範囲内であること（ステップ６０２）
▲３▼オートマチックトランスミッションの変速位置がＰレンジ又はＮレンジ（マニュアルトランスミッションの場合はニュートラル位置）にあること（ステップ６０３）
▲５▼始動から所定時間以内、例えば１５秒以内であること（ステップ６０４）
▲６▼各種フェイルが発生していないこと（ステップ６０５）
【００９９】
これら▲１▼〜▲６▼の条件が全て満たされたとき（つまりステップ６０１〜６０５の判定が全て「Ｙｅｓ」となったとき）、触媒暖機制御実行条件が成立して、ステップ６０６に進み、触媒暖機制御実行フラグＸＣＡＴに「１」をセットする。
【０１００】
一方、上記ステップ６０１〜６０５の条件のうちいずれか１つでも「Ｎｏ」と判定される条件があれば、触媒暖機制御実行条件が不成立となり、ステップ６０７に進み、触媒暖機制御実行フラグＸＣＡＴを「０」にリセットする。
【０１０１】
［点火時期制御］
図２１の点火時期制御ルーチンは、所定時間毎（例えば１０ｍｓ毎）に実行され、まず、ステップ７０１で、エンジン回転速度Ｎｅ、吸気管圧力ＰＭ、エンジン冷却水温Ｔｗを読み込み、次のステップ７０２で、始動が完了しているか否かを例えばエンジン回転速度Ｎｅが始動判定値以上であるか否かにより判定する。もし、始動完了前であれば、ステップ７０３に進み、予め設定された固定点火時期（例えばＢＴＤＣ５℃Ａ）を所定のアドレスに格納して、本ルーチンを終了する。
【０１０２】
一方、始動完了後であれば、ステップ７０４に進み、スロットル開度センサ１５の出力に基づいてスロットル全閉か否かによりアイドルか否かを判定する。アイドル時であれば、ステップ７０５に進み、エンジン回転速度Ｎｅに応じて基本点火時期θＢＳＥを算出する。また、非アイドル時であれば、ステップ７０６に進み、ＲＯＭ４５に予め記憶されているマップを用い、エンジン回転速度Ｎｅと吸気管圧力ＰＭとに応じて基本点火時期θＢＳＥを算出する。これらのステップ７０５，７０６では、概ね高回転ほど基本点火時期θＢＳＥが進角側に設定される。尚、エンジン始動当初には、通常、基本点火時期θＢＳＥは例えばＢＴＤＣ１０℃Ａ付近に設定される。
【０１０３】
その後、ステップ７０７に進み、触媒暖機制御実行フラグＸＣＡＴが触媒暖機制御実行条件成立を意味する「１」であるか否かを判定し、ＸＣＡＴ＝０であれば、そのまま本ルーチンを終了する。
【０１０４】
一方、ＸＣＡＴ＝１の場合には、以降のステップ７０８〜７１０で、触媒暖機制御のための点火時期制御を実行する。具体的には、ステップ７０８で、図２４に示すマップを用いて、エンジン冷却水温Ｔｗに応じた遅角補正値θＲＥを算出する。図２４のマップ特性は、エンジン冷却水温Ｔｗが例えば０〜２０℃の範囲では冷却水温Ｔｗが高いほど遅角補正値θＲＥが大きくなり、冷却水温Ｔｗが２０〜４０℃の範囲では遅角補正値θＲＥがほぼ一定値となり、冷却水温Ｔｗが４０〜６０℃の範囲では冷却水温Ｔｗが高いほど遅角補正値θＲＥが小さくなるように設定されている。
【０１０５】
この後、点火時期θigを、基本点火時期θＢＳＥから遅角補正値θＲＥを減算して求めて（θig＝θＢＳＥ−θＲＥ）、所定のアドレスに格納する。この後、ステップ７１０に進み、１回の燃焼行程につき複数回の点火動作を行う多重点火の点火間隔と点火回数とを各種パラメータ（エンジン回転速度、点火時期等）に応じて設定し、触媒暖機制御中のトルク変動を多重点火によって抑制する。
【０１０６】
［燃料噴射制御］
図２２と図２３に示す燃料噴射制御ルーチンは、所定時間毎（例えば１０ｍｓ毎）に実行され、まず、ステップ８０１で、エンジン回転速度Ｎｅ、吸気管圧力ＰＭ、エンジン冷却水温Ｔｗ、吸気温Ｔａを読み込み、次のステップ８０２で、始動が完了しているか否かを判定する。始動完了前であれば、ステップ８０３に進み、エンジン冷却水温Ｔｗに応じて始動時噴射量ＴＡＵＳＴＡを算出する。この始動時噴射量ＴＡＵＳＴＡは、一般に、エンジン冷却水温Ｔｗが低いほど大きい値となる。この後、ステップ８０４に進み、始動時噴射量ＴＡＵＳＴＡを吸気温Ｔａ、エンジン回転速度Ｎｅ等で補正し、本ルーチンを終了する。
【０１０７】
その後、始動が完了してステップ８０２で「Ｙｅｓ」と判定されると、図２２のステップ８０２から図２３のステップ８０５に進み、触媒暖機制御実行フラグＸＣＡＴが触媒暖機制御実行条件成立を意味する「１」であるか否かを判定する。もし、ＸＣＡＴ＝０であれば、ステップ８０６〜８０９で通常の燃料噴射制御を実行し、ＸＣＡＴ＝１であれば、ステップ８１０〜８１５で触媒暖機制御のための燃料噴射量制御を実行する。
【０１０８】
ＸＣＡＴ＝０のときには、まず、ステップ８０６で、通常の基本噴射量マップを用い、エンジン回転速度Ｎｅと吸気管圧力ＰＭとに応じて基本噴射量Ｔｐを算出し、次のステップ８０７で、空燃比フィードバック条件（Ｆ／Ｂ条件）が成立しているか否かを判定する。このＦ／Ｂ条件は、エンジン冷却水温Ｔｗが所定温度以上であること、高回転・高負荷状態でないこと、空燃比センサ３２が活性状態にあること等である。
【０１０９】
Ｆ／Ｂ条件不成立の場合は、ステップ８０８に進み、フィードバック補正係数ＦＡＦを「１．０」に設定する。一方、フィードバック条件成立の場合は、ステップ８０９に進み、実空燃比ＡＦr （空燃比センサ３２の検出値）と目標空燃比ＡＦtgとの偏差に応じてフィードバック補正係数ＦＡＦを算出する。
【０１１０】
フィードバック補正係数ＦＡＦの算出後、ステップ８１６に進み、エンジン冷却水温Ｔｗに応じて始動後増量係数ＦＡＳＥ及び暖機増量係数ＦＷＬを算出する。始動後増量係数ＦＡＳＥでは、エンジン始動後の数十秒間だけ燃料増量が行われるのに対し、暖機増量係数ＦＷＬでは、エンジン冷却水温Ｔｗが所定温度に達するまで燃料増量が行われる。この後、ステップ８１７に進み、エアコン等の電気負荷増量など、他の補正係数βを算出し、次のステップ８１８で、基本噴射量Ｔｐに対して各種補正を施して、通常の燃料噴射制御時（ＸＣＡＴ＝０の時）の燃料噴射量ＴＡＵを次式により算出する。
ＴＡＵ＝Ｔｐ×（ＦＡＦ＋ＦＡＳＥ＋ＦＷＬ）×β
【０１１１】
一方、上記ステップ８０５でＸＣＡＴ＝１（触媒暖機制御実行条件成立）と判定された場合は、点火遅角制御が実施されるため、燃焼を安定させるために、ステップ８１０に進み、図２５に示すマップを用いて、点火時期の遅角補正量θＲＥに応じて点火遅角制御中の目標空燃比ＡＦtgを算出する。図２５のマップでは、目標空燃比ＡＦtgは斜線域で示され、遅角補正値θＲＥが大きいほど目標空燃比ＡＦtgが理論空燃比（ストイキ）に近付くように設定されている。
【０１１２】
目標空燃比ＡＦtgの算出後、ステップ８１１に進み、ＲＯＭ４５に予め記憶された目標空燃比ＡＦtg毎のマップを用い、その時のエンジン回転速度Ｎｅと吸気管圧力ＰＭとに応じて基本噴射量Ｔｐを算出する。
【０１１３】
この後、ステップ８１２に進み、空燃比センサ３２が活性状態にあるか否かを例えば空燃比センサ３２の素子温、又は素子抵抗が活性状態に相当する判定値に達しいるか否かによって判定し、次のステップ８１３で、目標空燃比ＡＦtgと実空燃比ＡＦr との偏差の絶対値が所定値以上であるか否かを判定する。
【０１１４】
これらのステップ８１２，８１３で共に「Ｙｅｓ」と判定された場合は、ステップ８１５に進み、図２６に示すマップを用いて、補正値ＦＤに対する更新幅ΔＦＤを空燃比のずれ（ＡＦtg−ＡＦr ）に応じて算出し、この更新幅ΔＦＤ分だけ前回の補正値ＦＤを修正して（ＦＤ＝ＦＤ＋ΔＦＤ）、バックアップＲＡＭ４７内の補正値ＦＤの記憶値を更新する。この補正値ＦＤは、エンジン始動当初のオープンループ制御による空燃比のずれを早期に解消するためのものである。
【０１１５】
これに対し、ステップ８１２，８１３のいずれか一方で「Ｎｏ」と判定された場合、つまり空燃比センサ３２が未活性で、実空燃比ＡＦr を正確に検出できない場合、又は空燃比のずれ（ＡＦtg−ＡＦr ）が所定値未満で、補正値ＦＤの更新の必要がない場合には、ステップ８１４に進み、バックアップＲＡＭ４７から読み込んだ補正値ＦＤをそのまま使用する。
【０１１６】
このようにして、ステップ８１４又は８１５で、補正値ＦＤを決定した後、ステップ１１６〜１１８の処理を実行し、始動後増量係数ＦＡＳＥ、暖機増量係数ＦＷＬ、他の補正係数βを算出した後、基本噴射量Ｔｐに対して各種補正を施して、触媒暖機制御時（ＸＣＡＴ＝１の時）の燃料噴射量ＴＡＵを次式により算出する。
ＴＡＵ＝Ｔｐ×（１＋ＦＤ＋ＦＡＳＥ＋ＦＷＬ）×β
【０１１７】
以上説明した実施形態（６）の触媒暖機制御は、例えば、図２７に示すタイムチャートのように実施される。図２７の例では、時刻ｔ1 でスタータがオンされてクランキングが開始された後、時刻ｔ2 で始動完了して触媒暖機制御実行フラグＸＣＡＴが「１」にセットされると、点火時期θigが基本点火時期θＢＳＥに対して遅角補正値θＲＥだけ遅角側に制御されて排ガス温度が昇温される。そして、この遅角補正値θＲＥに応じて排ガスの目標空燃比ＡＦtgが設定され、燃料噴射量が補正される。
【０１１８】
また、時刻ｔ2 以降は、ＩＳＣ弁５２が所定開度に調整されて、エンジン回転速度Ｎｅが暖機後のアイドル回転速度（例えば７００ｒｐｍ）よりも高い始動時回転速度（例えば１２００ｒｐｍ）に制御される。そして、時刻ｔ3 で、空燃比センサ３２が活性化すると、補正値ＦＤが空燃比のずれ（ＡＦtg−ＡＦr ）に応じた更新幅ΔＦＤで更新される。
【０１１９】
その後、時刻ｔ2 から所定時間（例えば１５秒）が経過して時刻ｔ4 に達すると、触媒暖機制御実行フラグＸＣＡＴが「０」にリセットされる。これにより、触媒暖機制御が終了し、点火時期が徐々に進角側に戻されると共に、目標空燃比ＡＦtgが理論空燃比（ストイキ）付近に戻される。
【０１２０】
以上説明した実施形態（６）では、触媒暖機制御中は、点火時期の遅角補正値θＲＥに応じて排ガスの目標空燃比ＡＦtgを設定するようにしたので、その時の遅角補正値θＲＥに応じて燃料噴射量を適正に制御することができ、燃焼状態を安定化を図りつつ、排ガス温度を昇温させることができる。
【０１２１】
また、本実施形態（６）では、エンジン回転速度Ｎｅが暖機後のアイドル回転速度（例えば７００ｒｐｍ）よりも高い始動時回転速度（例えば１２００ｒｐｍ）に制御されているときに触媒暖機制御（点火遅角制御）を実施するようにしたので、始動時の回転速度制御による排ガス温度上昇と相俟って、排ガス温度の昇温効果を更に高めることができる。
【０１２２】
更に、本実施形態（６）では、エンジン１１の始動完了後、所定時間（例えば１５秒）が経過するまでの期間、触媒暖機制御の実施を許可するようにしたので、触媒暖機制御が必要以上に長引くことを防止して、所定時間経過後は、通常の制御により速やかに燃焼状態の安定化を図ることができる。
【０１２３】
また、本実施形態（６）では、触媒暖機制御中に多重点火を実施するようにしたので、触媒暖機制御中のトルク変動を多重点火によって抑制することができ、触媒暖機制御によるドライバビリティの低下を防止できる。尚、多重点火に代えて、複数箇所で点火するようにしても良く、この場合でも、トルク変動抑制効果を得ることができる。
【図面の簡単な説明】
【図１】本発明の実施形態（１）を示すエンジン制御システム全体の概略構成図
【図２】エンジン排気ポート端面からの距離と排ガス温度と二次空気導入位置の範囲との関係を説明する図
【図３】実施形態（１）の燃料噴射制御ルーチンの処理の流れを示すフローチャート
【図４】実施形態（１）の点火時期制御ルーチンの処理の流れを示すフローチャート
【図５】実施形態（１）のＶＶＴ制御ルーチンの処理の流れを示すフローチャート
【図６】実施形態（１）の二次空気導入制御ルーチンの処理の流れを示すフローチャート
【図７】実施形態（１）の二次空気導入判定ルーチンの処理の流れを示すフローチャート
【図８】実施形態（１）の二次空気導入制御の実行例を示すタイムチャート
【図９】本発明の実施形態（２）の二次空気導入制御ルーチンの処理の流れを示すフローチャート
【図１０】実施形態（２）の二次空気導入制御の実行例を示すタイムチャート
【図１１】本発明の実施形態（３）を示すエンジン排気側の主要部の概略構成図
【図１２】実施形態（３）の二次空気導入制御ルーチンの処理の流れを示すフローチャート
【図１３】実施形態（３）の二次空気導入制御の実行例を示すタイムチャート
【図１４】実施形態（３）の変形例（第１例）を示すエンジン排気側の主要部の概略構成図
【図１５】実施形態（３）の変形例（第２例）を示すエンジン排気側の主要部の概略構成図
【図１６】本発明の実施形態（４）の二次空気導入制御の実行例を示すタイムチャート（その１）
【図１７】実施形態（４）の二次空気導入制御の実行例を示すタイムチャート（その２）
【図１８】本発明の実施形態（５）の二次空気導入制御の実行例を示すタイムチャート
【図１９】本発明の実施形態（６）を示すエンジン制御システム全体の概略構成図
【図２０】実施形態（６）の触媒暖機制御実行条件判定ルーチンの処理の流れを示すフローチャート
【図２１】実施形態（６）の点火時期制御ルーチンの処理の流れを示すフローチャート
【図２２】実施形態（６）の燃料噴射制御ルーチンの処理の流れを示すフローチャート（その１）
【図２３】実施形態（６）の燃料噴射制御ルーチンの処理の流れを示すフローチャート（その２）
【図２４】エンジン冷却水温に応じた遅角補正値のマップの一例を示す図
【図２５】遅角補正値に応じた目標空燃比のマップの一例を示す図
【図２６】空燃比偏差に応じた更新幅ΔＦＤのマップの一例を示す図
【図２７】実施形態（６）の実行例を示すタイムチャート
【符号の説明】
１１…エンジン（内燃機関）、１７…燃料噴射弁、１８…点火プラグ、１９…吸気弁、２０…排気弁、２３，２４…可変バルブタイミング機構、３０…排気管（排ガス通路）、３１…触媒、３２…空燃比センサ、３４…二次空気導入装置、３５…二次空気導入管（二次空気導入通路）、３７…エアポンプ、３８…コンビネーションバルブ、３９…開閉弁、４０…逆止弁、４１…吸気圧導入管、４２…切換弁、４３…ＥＣＵ（排ガス昇温制御手段，二次空気導入制御手段）、４８…二次空気導入管（二次空気導入通路）、４８ａ〜４８ｃ…導入部、４９…導入位置切換弁、５０…開閉弁。
【図１】
0004378829.tif 000002
【図２】
0004378829.tif 000003
【図３】
0004378829.tif 000004
【図４】
0004378829.tif 000005
【図５】
0004378829.tif 000006
【図６】
0004378829.tif 000007
【図７】
0004378829.tif 000008
【図８】
0004378829.tif 000009
【図９】
0004378829.tif 000010
【図１０】
0004378829.tif 000011
【図１１】
0004378829.tif 000012
【図１２】
0004378829.tif 000013
【図１３】
0004378829.tif 000014
【図１４】
0004378829.tif 000015
【図１５】
0004378829.tif 000016
【図１６】
0004378829.tif 000017
【図１７】
0004378829.tif 000018
【図１８】
0004378829.tif 000019
【図１９】
0004378829.tif 000020
【図２０】
0004378829.tif 000021
【図２１】
0004378829.tif 000022
【図２２】
0004378829.tif 000023
【図２３】
0004378829.tif 000024
【図２４】
0004378829.tif 000025
【図２５】
0004378829.tif 000026
【図２６】
0004378829.tif 000027
【図２７】
0004378829.tif 000028